(57)【要約】      （修正有）【課題】住宅内に設けられた２台の洗濯機を効率よく利用可能な住宅を提供する。【解決手段】住宅Ａは、親世帯の台所を含む親世帯住居部と、子世帯の台所２１１を含む子世帯住居部２００と、第１洗濯機３１１ａに接続される第１排水口３１１ｂ、及び第２洗濯機３１２ａに接続される第２排水口３１２ｂが設けられた洗濯室３１０と、を備える。【選択図】図２
2017025606.tif 000002
【特許請求の範囲】
【請求項１】
少なくとも親世帯台所を含む親世帯住居部と、
少なくとも子世帯台所を含む子世帯住居部と、
第１洗濯機に接続される第１排水口、及び第２洗濯機に接続される第２排水口が設けられた洗濯室と、を備える住宅。
【請求項２】
前記洗濯室には、前記第１洗濯機に接続される第１給水口、及び前記第２洗濯機に接続される第２給水口が更に設けられている、請求項１に記載の住宅。
【請求項３】
前記洗濯室に隣接すると共に、前記洗濯室と第１開口部を介して連通する洗濯物乾燥領域を更に備える、請求項１又は２に記載の住宅。
【請求項４】
前記洗濯室及び前記洗濯物乾燥領域にそれぞれ隣接すると共に、前記洗濯室と第２開口部を介して連通し、前記洗濯物乾燥領域と第３開口部を介して連通する仕分け室を更に備え、
前記仕分け室には仕分け用の作業面が設けられている、請求項３に記載の住宅。
【請求項５】
前記洗濯室に隣接すると共に、前記洗濯室と第２開口部を介して連通する仕分け室を更に備え、
前記仕分け室は子世帯ＬＤＫと連通し、
前記仕分け室には仕分け用の作業面が設けられている、請求項１〜３のいずれか一項に記載の住宅。
【請求項６】
前記仕分け室には、収納部が設けられている、請求項４又は５に記載の住宅。
【請求項７】
前記洗濯室には、洗面台が設けられている、請求項１〜６のいずれか一項に記載の住宅。
【請求項８】
前記親世帯住居部と前記子世帯住居部とをつなぐ通路を更に備え、
前記洗濯室は、前記通路に隣接すると共に、第４開口部を介して前記通路に連通する、請求項１〜７のいずれか一項に記載の住宅。
【発明の詳細な説明】
【技術分野】
【０００１】
本発明の一側面は、２つの世帯が居住可能な住宅に関する。
【背景技術】
【０００２】
従来、親世帯と子世帯とが一戸の住宅に居住する親子同居住宅がある。このような住宅が、例えば特許文献１に記載されている。特許文献１に記載された建物は、親世帯が居住する親世帯住居部が１階に設けられ、子世帯が居住する子世帯住居部が２階に設けられている。また、１階の親世帯住居部の洗面所、及び２階の子世帯住居部の洗面所には、それぞれ洗濯機が設けられている。
【先行技術文献】
【特許文献】
【０００３】
【特許文献１】特開２０１４−３１６３６号公報
【発明の概要】
【発明が解決しようとする課題】
【０００４】
ここで、特許文献１に記載された住宅のように２台の洗濯機が住宅内に設けられている場合、例えば、大量の洗濯物を洗いたいとき等に２台の洗濯機を同時に使用したいという要望がある。しかしながら、親世帯の洗面所、及び子世帯の洗面所に別々に洗濯機が設けられているため、２台の洗濯機を同時に使用して洗濯家事を行う際に、両世帯の洗面所を行き来しなければならず、洗濯家事を合理的にできないという問題があった。このような問題を解消するため、本技術分野においては、住宅内に設けられた２台の洗濯機を効率よく利用可能な住宅が望まれている。
【０００５】
そこで、本発明の一側面は、住宅内に設けられた２台の洗濯機を効率よく利用可能な住宅を提供することを目的とする。
【課題を解決するための手段】
【０００６】
本発明の一側面に係る住宅は、少なくとも親世帯台所を含む親世帯住居部と、少なくとも子世帯台所を含む子世帯住居部と、第１洗濯機に接続される第１排水口、及び第２洗濯機に接続される第２排水口が設けられた洗濯室と、を備える。
【０００７】
この住宅では、第１排水口及び第２排水口を利用して、洗濯室内に２台の洗濯機を設置することができる。このため、一方の洗濯機を親世帯が使用し、他方の洗濯機を子世帯が使用することによって、洗濯室内において、親世帯と子世帯とが洗濯を同時に行うことができる。また、例えば、大量の洗濯物を洗いたい場合など、２台の洗濯機を一方の世帯が同時に使用したいときには、洗濯室内に２台の洗濯機が設けられているため、２台の洗濯機を効率よく利用することができる。
【０００８】
洗濯室には、第１洗濯機に接続される第１給水口、及び第２洗濯機に接続される第２給水口が更に設けられていてもよい。この場合には、第１給水口から第１洗濯機に水を供給し、第２給水口から第２洗濯機に水を供給することができるので、洗濯室内に第１洗濯機及び第２洗濯機を容易に設置することができる。
【０００９】
住宅は、洗濯室に隣接すると共に、洗濯室と第１開口部を介して連通する洗濯物乾燥領域を更に備えていてもよい。このように洗濯室と洗濯物乾燥領域とが隣接しているため、洗濯後の洗濯物を洗濯物乾燥領域に容易に運ぶことができる。
【００１０】
住宅は、洗濯室及び洗濯物乾燥領域にそれぞれ隣接すると共に、洗濯室と第２開口部を介して連通し、洗濯物乾燥領域と第３開口部を介して連通する仕分け室を更に備え、仕分け室には仕分け用の作業面が設けられていてもよい。この場合、作業者は、乾燥後の洗濯物を、洗濯物乾燥領域から第３開口部を介して仕分け室に直接運ぶことができる。また、作業者は、乾燥後の洗濯物を、洗濯物乾燥領域から洗濯室を介して仕分け室に容易に運ぶことができる。仕分け室には作業面が設けられているので、作業者は、乾燥後の洗濯物の仕分け作業、及び乾燥後の洗濯物を畳む作業等を容易に行うことができる。
【００１１】
住宅は、洗濯室に隣接すると共に、洗濯室と第２開口部を介して連通する仕分け室を更に備え、仕分け室は子世帯ＬＤＫと連通し、仕分け室には仕分け用の作業面が設けられていてもよい。この場合、作業者は、乾燥後の洗濯物を、洗濯物乾燥領域から洗濯室を介して仕分け室に容易に運ぶことができる。また、仕分け室には作業面が設けられているので、作業者は、乾燥後の洗濯物の仕分け作業、及び乾燥後の洗濯物を畳む作業等を容易に行うことができる。
【００１２】
仕分け室には、収納部が設けられていてもよい。この場合、作業者は、仕分け室内で畳んだ乾燥後の洗濯物を他の部屋へ運ぶことなく、効率よく収納できる。
【００１３】
洗濯室には、洗面台が設けられていてもよい。この場合、作業者は、洗濯物の予洗い作業等を洗濯室内において行うことができ、予洗い作業等を効率よく行うことができる。
【００１４】
住宅は、親世帯住居部と子世帯住居部とをつなぐ通路を更に備え、洗濯室は、通路に隣接すると共に、第４開口部を介して通路に連通していてもよい。この場合、親世帯が親世帯住居部から洗濯室へ移動する際に、子世帯住居部を通ることなく通路を通って洗濯室へ移動することができる。また、子世帯が子世帯住居部から洗濯室へ移動する際に、親世帯住居部を通ることなく通路を通って洗濯室へ移動することができる。このように、各世帯間でのプライバシーを保ちつつ、親世帯及び子世帯が洗濯室を利用することができる。
【発明の効果】
【００１５】
本発明の一側面によれば、住宅内に設けられた２台の洗濯機を効率よく利用することができる。
【図面の簡単な説明】
【００１６】
【図１】実施形態に係る２階建て住宅の１階平面図である。
【図２】実施形態に係る２階建て住宅の２階平面図である。
【発明を実施するための形態】
【００１７】
以下、本発明の実施形態について図面を参照しながら説明する。なお、図面の説明において同一の要素には同一の符号を付し、重複する説明を省略する。
【００１８】
図１及び図２に示されるように、住宅Ａは、２階建構造の建物である。なお、本実施形態では、部屋の配置説明を容易にするため、図１及び図２の方位記号が示す通り、図面上における上方向を北側として説明する。本実施形態において、住宅Ａには、親世帯の夫婦、及び子世帯の夫婦が同居する。子世帯には、子世帯の夫婦の子（親世帯から見て孫）が居てもよい。
【００１９】
（住宅の１階の全体構成）
住宅Ａの１階には、図１に示すように、玄関１１、１階廊下１２、浴室１３、洗面所１４、階段１５、及び親世帯住居部１００が設けられている。玄関１１は、住宅Ａの北側の位置に設けられている。玄関１１は、東側を向いている。玄関１１の東側には、駐車場Ｐが設けられている。玄関１１の西側には、南北方向に延びる１階廊下１２が設けられている。
【００２０】
１階廊下１２の西側には、北側から南側に向かって順に、浴室１３、洗面所１４、及び階段１５が設けられている。１階廊下１２と洗面所１４とは、１階廊下１２と洗面所１４との間の間仕切壁に設けられた開口部１４ａを介して東西方向に連通している。開口部１４ａの位置には、開閉可能な建具１４ｂが設けられている。洗面所１４には、洗面台等が設けられている。浴室１３と洗面所１４とは、浴室１３と洗面所１４との間の間仕切壁に設けられた開口部１３ａを介して南北方向に連通している。開口部１３ａの位置には、開閉可能な建具１３ｂが設けられている。階段１５と１階廊下１２とは、１階廊下１２の南側の端部近傍において、東西方向に連通している。
【００２１】
親世帯住居部１００は、１階廊下１２の東側及び南側に設けられている。親世帯住居部１００は、親世帯ＬＤＫ１１０、親世帯第１居室１２０、親世帯第２居室１３０、１階トイレ１４０、及び親世帯廊下１５０を含んでいる。なお、親世帯住居部１００は、少なくとも親世帯ＬＤＫ１１０に設けられた台所（親世帯台所）１１１を有していれば、上記構成に限定されない。
【００２２】
親世帯ＬＤＫ１１０は、１階廊下１２の東側に設けられている。１階廊下１２と親世帯ＬＤＫ１１０とは、１階廊下１２と親世帯ＬＤＫ１１０との間の間仕切壁に設けられた開口部１１０ａを介して東西方向に連通している。開口部１１０ａの位置には、開閉可能な建具１１０ｂが設けられている。親世帯ＬＤＫ１１０は、主に親世帯が使用する居間、食堂、及び台所１１１を含んでいる。なお、例えば、親世帯と子世帯とが一緒に食事をする場合等、親世帯ＬＤＫ１１０を子世帯も親世帯と一緒に使用してもよい。
【００２３】
親世帯第１居室１２０は、１階廊下１２の南側、且つ親世帯ＬＤＫ１１０の西側に設けられている。１階廊下１２と親世帯第１居室１２０とは、１階廊下１２と親世帯第１居室１２０との間の間仕切壁に設けられた開口部１２ａを介して南北方向に連通している。開口部１２ａの位置には、開閉可能な建具１２ｂが設けられている。また、親世帯第１居室１２０と親世帯ＬＤＫ１１０とは、親世帯第１居室１２０と親世帯ＬＤＫ１１０との間の間仕切壁に設けられた開口部１１０ａを介して東西方向に連通している。開口部１１０ａの位置には、開閉可能な建具１１０ｂが設けられている。親世帯第１居室１２０は、例えば、畳が敷かれた和室であってもよい。
【００２４】
親世帯廊下１５０は、親世帯ＬＤＫ１１０の南北方向の略中央近傍から東側に向かって延びている。１階トイレ１４０は、親世帯廊下１５０の北側に設けられている。親世帯廊下１５０と１階トイレ１４０とは、親世帯廊下１５０と１階トイレ１４０との間の間仕切壁に設けられた開口部１４０ａを介して南北方向に連通している。開口部１４０ａの位置には、開閉可能な建具１４０ｂが設けられている。建具１４０ｂは、例えば、３枚引き戸であってもよい。建具１４０ｂを３枚引き戸とした場合、開口部１４０ａを広く確保することができる。このため、例えば、親世帯が車椅子等を使用する場合であっても、親世帯廊下１５０から１階トイレ１４０に容易に入ることができる。
【００２５】
親世帯第２居室１３０は、親世帯ＬＤＫ１１０の東側に設けられている。親世帯廊下１５０と親世帯第２居室１３０とは、親世帯廊下１５０と親世帯第２居室１３０との間の間仕切壁に設けられた開口部１３０ａを介して南北方向に連通している。開口部１３０ａの位置には、開閉可能な建具１３０ｂが設けられている。親世帯第２居室１３０は、例えば、親世帯の寝室として使用されてもよい。親世帯第２居室１３０内において、居室の北側にはウィークインクローゼットが設けられていてもよい。
【００２６】
（住宅の２階の全体構成）
住宅Ａの２階には、図２に示すように、階段１５、２階廊下１６、子世帯住居部２００、洗濯室３１０、バルコニー３２０、及び仕分け室３３０が設けられている。２階廊下１６は、階段１５を上りきった領域の東側に設けられている。２階廊下１６は、南北方向に延びている。
【００２７】
子世帯住居部２００は、子世帯ＬＤＫ２１０、子世帯第１居室２２０、子世帯第２居室２３０、子世帯第３居室２４０、シャワー室２５０、及び２階トイレ２６０を含んでいる。なお、子世帯住居部２００は、少なくとも子世帯ＬＤＫ２１０に設けられた台所（子世帯台所）２１１を有していれば、上記構成に限定されない。
【００２８】
階段１５の北側には、南側から順に２階トイレ２６０、シャワー室２５０、及び子世帯第３居室２４０が設けられている。２階トイレ２６０と２階廊下１６とは、２階トイレ２６０と２階廊下１６との間の間仕切壁に設けられた開口部２６０ａを介して東西方向に連通している。開口部２６０ａの位置には、開閉可能な建具２６０ｂが設けられている。２階トイレ２６０は、例えば、主に子世帯によって使用されてもよい。シャワー室２５０と２階廊下１６とは、シャワー室２５０と２階廊下１６との間の間仕切壁に設けられた開口部２５０ａを介して東西方向に連通している。開口部２５０ａの位置には、開閉可能な建具２５０ｂが設けられている。シャワー室２５０は、例えば、子世帯がシャワーを浴びる際に使用されてもよい。子世帯第３居室２４０と２階廊下１６とは、子世帯第３居室２４０と２階廊下１６との間の間仕切壁に設けられた開口部２４０ａを介して南北方向に連通している。開口部２４０ａの位置には、開閉可能な建具２４０ｂが設けられている。子世帯第３居室２４０は、例えば、子世帯の書斎として使用されてもよい。
【００２９】
子世帯第２居室２３０は、子世帯第３居室２４０及び２階廊下１６の東側に設けられている。子世帯第２居室２３０と２階廊下１６とは、子世帯第２居室２３０と２階廊下１６との間の間仕切壁に設けられた開口部２３０ａを介して東西方向に連通している。開口部２３０ａの位置には、開閉可能な建具２３０ｂが設けられている。子世帯第２居室２３０は、例えば、子世帯の寝室として使用されてもよい。
【００３０】
子世帯ＬＤＫ２１０は、２階廊下１６の東側、且つ子世帯第２居室２３０の南側に設けられている。子世帯ＬＤＫ２１０と２階廊下１６とは、子世帯ＬＤＫ２１０と２階廊下１６との間の間仕切壁に設けられた開口部２１０ａを介して東西方向に連通している。開口部２１０ａの位置には、開閉可能な建具２１０ｂが設けられている。子世帯ＬＤＫ２１０は、主に子世帯が使用する居間、食堂、及び台所２１１を含んでいる。
【００３１】
子世帯第１居室２２０は、子世帯ＬＤＫ２１０の東側に設けられている。子世帯第１居室２２０と子世帯ＬＤＫ２１０とは、子世帯第１居室２２０と子世帯ＬＤＫ２１０との間の間仕切壁に設けられた開口部２２０ａを介して東西方向に連通している。開口部２２０ａの位置には、開閉可能な建具２２０ｂが設けられている。建具２２０ｂは、例えば、３枚引き戸であってもよい。建具２２０ｂを３枚引き戸とした場合、開口部２２０ａを広く確保することができる。このため、子世帯ＬＤＫ２１０と子世帯第１居室２２０とを、例えば、建具２２０ｂを開放することによって子世帯ＬＤＫ２１０と子世帯第１居室２２０とをつなげて大きな部屋として使用することができる。
【００３２】
洗濯室３１０は、階段１５及び２階廊下１６の南側に設けられている。洗濯室３１０と２階廊下１６とは、洗濯室３１０と２階廊下１６との間の間仕切壁に設けられた開口部（第４開口部）１６ａを介して南北方向に連通している。開口部１６ａの位置には、開閉可能な建具１６ｂが設けられている。洗濯室３１０は、第１洗濯機３１１ａ及び第２洗濯機３１２ａを設置可能な設備、及び洗濯機置きスペースを備えている。
【００３３】
具体的には、洗濯室３１０内には、第１排水口３１１ｂ、第１給水口３１１ｃ、第２排水口３１２ｂ、第２給水口３１２ｃが設けられている。第１排水口３１１ｂ及び第１給水口３１１ｃは、第１洗濯機３１１ａに接続される。第１排水口３１１ｂは、第１洗濯機３１１ａからの排水の受け口となる。第１給水口３１１ｃは、第１洗濯機３１１ａに水を供給する。第２排水口３１２ｂ及び第２給水口３１２ｃは、第２洗濯機３１２ａに接続される。第２排水口３１２ｂは、第２洗濯機３１２ａからの排水の受け口となる。第２給水口３１２ｃは、第２洗濯機３１２ａに水を供給する。なお、洗濯室３１０内に、２つの給水口（第１給水口３１１ｃ、第２給水口３１２ｃ）を設けることは必須ではない。少なくとも一つの給水口が洗濯室３１０内に設けられていればよい。この場合、一つの給水口と、第１洗濯機３１１ａ及び第２洗濯機３１２ａとを、分岐させたホース等によって接続しても良い。また、洗濯機置きスペースとしては、一台分で幅６００ｍｍ以上、奥行き６００ｍｍ以上とし、二台分の合計で幅１２００ｍｍ以上、奥行６００ｍｍ以上確保されている。
【００３４】
洗濯室３１０内には、更に、洗面台３５０が設けられていてもよい。この場合、洗濯物の予洗い等に洗面台３５０を使用することができる。洗濯室３１０内には、物干し竿が設置可能な設備を備えていてもよい。この場合、例えば、雨が降っている場合であっても、洗濯物を洗濯室３１０内に干すことができる。また、洗濯室３１０内に物干し竿を設置可能な設備が設けられていることで、第１洗濯機３１１ａ等で洗濯後、物干し作業を効率よく行うことができる。
【００３５】
洗濯室３１０の床は、例えば、タイル張りやクッションフロア張りの床等、耐水性を備えていてもよい。また、洗濯室３１０の床は、機能的には、第１洗濯機３１１ａ及び第２洗濯機３１２ａを支持する支持面となる。
【００３６】
第１洗濯機３１１ａは、例えば、主に親世帯によって使用される。第２洗濯機３１２ａは、例えば、主に子世帯によって使用される。また、例えば、大量の洗濯物を洗いたい場合には、一方の世帯が第１洗濯機３１１ａ及び第２洗濯機３１２ａの両方を同時に使用することができる。また、例えば、洗濯物を色物と白物とで分けたい場合や、汚れがひどいものと汚れが少ないものとで分けたい場合には、一方の世帯が第１洗濯機３１１ａ及び第２洗濯機３１２ａの両方を同時に使用することができる。
【００３７】
仕分け室３３０は、洗濯室３１０と子世帯ＬＤＫ２１０との間に設けられている。バルコニー３２０は、洗濯室３１０、仕分け室３３０、及び子世帯ＬＤＫ２１０の南側に設けられている。バルコニー３２０と洗濯室３１０とは、バルコニー３２０と洗濯室３１０との間の間仕切壁（外壁）に設けられた開口部（第１開口部）３２０ａを介して南北方向に連通している。開口部３２０ａの位置には、開閉して出入り可能な建具（サッシ）３２０ｂが設けられている。バルコニー３２０と仕分け室３３０とは、バルコニー３２０と仕分け室３３０との間の間仕切壁（外壁）に設けられた開口部（第３開口部）３３０ａを介して南北方向に連通している。開口部３３０ａの位置には、開閉して出入り可能な建具（サッシ）３３０ｂが設けられている。バルコニー３２０と子世帯ＬＤＫ２１０とについても、開口部に設けられた開閉して出入り可能な建具を介して南北方向に連通していてもよい。
【００３８】
バルコニー３２０には、物干し竿が設置可能な設備が設けられている。バルコニー３２０は、第１洗濯機３１１ａ及び第２洗濯機３１２ａで洗濯された洗濯物を乾燥させるための洗濯物乾燥領域となる。洗濯物を干す作業者は、建具３２０ｂを開放することにより、開口部３２０ａを介して洗濯室３１０からバルコニー３２０へ直接出て洗濯物を運ぶことができる。そして、作業者は、バルコニー３２０で洗濯物を干す作業を行うことができる。バルコニー３２０が住宅Ａの２階の南側に設けられているため、バルコニー３２０に太陽光を多く取り込むことができる。これにより、バルコニー３２０において洗濯物を効率よく乾かすことができる。また、バルコニー３２０の上方の一部には、庇が設けられており、降雨の際に洗濯物が濡れてしまうことを回避できる。
【００３９】
仕分け室３３０と洗濯室３１０とは、仕分け室３３０と洗濯室３１０との間の間仕切壁に設けられた開口部（第２開口部）３１０ａを介して東西方向に連通している。開口部３１０ａの位置には、開閉可能な建具３１０ｂが設けられている。仕分け室３３０と子世帯ＬＤＫ２１０との間には、建具や間仕切壁等が設けられておらず、連通しており、仕分け室３３０と子世帯ＬＤＫ２１０とは一体化された空間となっている。
【００４０】
仕分け室３３０は、バルコニー３２０に干されていた乾燥後の洗濯物を仕分けするために使用することができる。仕分け室３３０は、親世帯及び子世帯の両世帯が使用することができる。乾燥後の洗濯物を仕分けする作業者は、建具３３０ｂを開放することにより、開口部３３０ａを介してバルコニー３２０から仕分け室３３０へ乾燥後の洗濯物を直接運ぶことができる。また、作業者は、建具３２０ｂ及び建具３１０ｂを開放することにより、開口部３２０ａ及び開口部３１０ａを介して、バルコニー３２０から洗濯室３１０を経由して仕分け室３３０へ乾燥後の洗濯物を運ぶことができる。
【００４１】
仕分け室３３０には、乾燥後の洗濯物を仕分けするための作業面３３１が設けられている。ここで、作業面３３１とは、乾燥後の洗濯物を置くことができるように、洗濯室３１０の床面よりも清潔性が高い面であってもよい。清潔性が高いとは、清潔性が低い場合よりも埃や汚れ等が溜まりにくいことを意味していてもよい。
【００４２】
具体的には、作業面３３１は、例えば、洗濯室３１０の床面よりも高い位置に形成された仕分け室３３０の床面によって構成されていてもよい。仕分け室３３０の床面は、例えば、洗濯室３１０の床面よりも１５０ｍｍ〜４５０ｍｍ程度高い位置に形成されていてもよい。より好ましくは、仕分け室３３０の床面は、例えば、洗濯室３１０の床面よりも３５０ｍｍ〜４５０ｍｍ程度高い位置に形成されていてもよい。仕分け室３３０の床面を高くすることで、埃等が溜まり難くなり、洗濯室３１０等と床面の高さが同じ場合と比べて清潔性を高めることができる。作業者は、高い位置に形成された仕分け室３３０の床面上で、乾燥後の洗濯物の仕分け作業、及び畳み作業等を行うことができる。また、作業者は、例えば、仕分け室３３０と洗濯室３１０との段差部分に腰を掛けて、仕分け室３３０で乾燥後の洗濯物の仕分け作業を行ってもよい。なお、作業面３３１の広さは、１５００ｍｍ×１５００ｍｍ以上確保されており、作業者の周囲にたたむ前の洗濯物を広げたり、たたんだ洗濯物を置いたりすることが容易にできる。
【００４３】
また、作業面３３１は、仕分け室３３０の床面に敷かれた畳の上面によって構成されていてもよい。仕分け室３３０を畳敷きとすることで、作業者が仕分け室３３０の床面に敷かれた畳の上に座って、乾燥後の洗濯物の仕分け作業、及び畳み作業等を行い易くなる。
【００４４】
また、作業面３３１は、洗濯室３１０等と床面の高さが同じであってもよい。この場合、洗濯物を運ぶ際に洗濯室３１０と作業面３３１との間で往来し易くなる。
【００４５】
仕分け室３３０には、作業面３３１側から使用可能な収納部３４０が設けられていてもよい。この場合、仕分け室３３０で畳み作業を行った乾燥後の洗濯物を収納部３４０に容易に収納することができる。なお、収納部３４０は、世帯毎に区画されていてもよい。これにより、乾燥後の洗濯物を世帯毎に収納することができるので、乾燥後の洗濯物を世帯間で取り違えることを抑制できる。
【００４６】
例えば、仕分け室３３０の床が洗濯室３１０及び子世帯ＬＤＫ２１０の床面よりも高い位置に形成されている場合、仕分け室３３０の床下に収納部が設けられていてもよい。仕分け室３３０の床下に設けられた収納部は、洗濯室３１０側又は子世帯ＬＤＫ２１０側から引き出し可能な引出しを備えていてもよい。この場合、子世帯ＬＤＫ２１０側に引き出される引出しを、主に子世帯が使用してもよい。また、洗濯室３１０側に引き出される引出しを、主に親世帯が使用してもよい。
【００４７】
（住宅の動線）
次に、住宅Ａの動線について説明する。親世帯は、玄関１１から１階廊下１２を介して親世帯住居部１００内に入ることができる。また、浴室１３、及び洗面所１４を使用する場合、親世帯は、親世帯住居部１００から１階廊下１２を介して浴室１３及び洗面所１４内に入ることができる。親世帯は、洗濯を行う場合、親世帯住居部１００から１階廊下１２、階段１５、及び２階廊下１６を介して洗濯室３１０内に入ることができる。
【００４８】
子世帯は、親世帯と共用の玄関１１から１階廊下１２、階段１５、２階廊下１６を介して子世帯住居部２００内に入ることができる。親世帯と共用の浴室１３、及び洗面所１４を使用する場合、子世帯は、子世帯住居部２００から２階廊下１６、階段１５、及び１階廊下１２を介して浴室１３及び洗面所１４内に入ることができる。子世帯は、洗濯を行う場合、子世帯住居部２００から２階廊下１６を介して洗濯室３１０内に入ることができる。或いは、子世帯は、子世帯ＬＤＫ２１０から仕分け室３３０を介して洗濯室３１０内に入ることができる。
【００４９】
住宅Ａにおいて、１階廊下１２、階段１５、及び２階廊下１６は、親世帯住居部１００と子世帯住居部２００とをつなぐ親世帯と共用の通路１０を構成している。洗濯室３１０は、通路１０と連通している。これにより、親世帯は、子世帯住居部２００を通ることなく洗濯室３１０内に入ることができる。親世帯は、子世帯住居部２００を通ることなく、浴室１３及び洗面所１４内に入ることができる。また、子世帯は、親世帯住居部１００を通ることなく洗濯室３１０内に入ることができる。子世帯は、親世帯住居部１００を通ることなく浴室１３及び洗面所１４内に入ることができる。
【００５０】
本実施形態は以上のように構成され、この住宅Ａでは、第１排水口３１１ｂ及び第２排水口３１２ｂを利用して、洗濯室３１０内に２台の洗濯機（第１洗濯機３１１ａ及び第２洗濯機３１２ａ）を設置することができる。このため、第１洗濯機３１１ａを親世帯が使用し、第２洗濯機３１２ａを子世帯が使用することによって、親世帯と子世帯とが洗濯を同時に行うことができる。また、例えば、大量の洗濯物を洗いたい場合など、２台の洗濯機を一方の世帯が同時に使用したいときには、洗濯室３１０内に２台の洗濯機が設けられているため、２台の洗濯機を効率よく利用することができる。
【００５１】
また、例えば、親世帯が高齢となった場合や子世帯が共働きの場合等、親世帯と子世帯との間で洗濯家事の協力が必要となる場合がある。この場合であっても、親世帯住居部１００及び子世帯住居部２００から洗濯室３１０が独立しているために、洗濯作業を行う作業者が他の世帯住居部内に入ることなく洗濯作業を行うことができる。例えば、子世帯が洗った洗濯物を、親世帯が干したり、畳んだりする作業を行うことができる。例えば、親世帯の洗濯物を子世帯が洗濯することができる。
【００５２】
洗濯室３１０には、第１洗濯機３１１ａに接続される第１給水口３１１ｃ、及び第２洗濯機３１２ａに接続される第２給水口３１２ｃが設けられている。この場合には、第１給水口３１１ｃから第１洗濯機３１１ａに水を供給することができ、第２給水口３１２ｃから第２洗濯機３１２ａに水を供給することができる。これにより、第１排水口３１１ｂ、第１給水口３１１ｃ、第２排水口３１２ｂ、及び第２給水口３１２ｃを利用して、洗濯室３１０内に第１洗濯機３１１ａ及び第２洗濯機３１２ａを容易に設置することができる。
【００５３】
住宅Ａは、洗濯室３１０に隣接すると共に、洗濯室３１０と開口部３２０ａを介して連通するバルコニー３２０を備えている。このように洗濯室３１０とバルコニー３２０とが隣接しているため、洗濯後の洗濯物をバルコニー３２０に容易に運ぶことができる。
【００５４】
住宅Ａには、作業面３３１を備える仕分け室３３０が設けられている。仕分け室３３０は、洗濯室３１０と開口部３１０ａを介して連通し、バルコニー３２０と開口部３３０ａを介して連通している。この場合、作業者は、乾燥後の洗濯物を、バルコニー３２０から開口部３３０ａを介して仕分け室３３０に直接運ぶことができる。また、作業者は、乾燥後の洗濯物を、バルコニー３２０から洗濯室３１０を介して仕分け室３３０に容易に運ぶことができる。仕分け室３３０には作業面３３１が設けられているので、作業者は、乾燥後の洗濯物の仕分け作業、及び乾燥後の洗濯物を畳む作業等を容易に行うことができる。
【００５５】
仕分け室３３０に収納部３４０を設けることによって、作業者は、仕分け室３３０内で畳んだ乾燥後の洗濯物を他の部屋へ運ぶことなく、効率よく収納部３４０内に収納できる。
【００５６】
洗濯室３１０に洗面台３５０を設けることによって、作業者は、洗濯物の予洗い作業等を洗濯室３１０内において行うことができ、予洗い作業等を効率よく行うことができる。
【００５７】
通路１０は、親世帯住居部１００と子世帯住居部２００とをつないでいる。また、洗濯室３１０は、開口部１６ａを介して通路１０と連通している。この場合、親世帯が親世帯住居部１００から洗濯室３１０へ移動する際に、子世帯住居部２００を通ることなく通路１０を通って洗濯室３１０へ移動することができる。また、子世帯が子世帯住居部２００から洗濯室３１０へ移動する際に、親世帯住居部１００を通ることなく通路１０を通って洗濯室３１０へ移動することができる。このように、各世帯間でのプライバシーを保ちつつ、親世帯及び子世帯が洗濯室３１０を利用することができる。
【００５８】
浴室１３は、通路１０に隣接すると共に、開口部１３ａ及び開口部１４ａを介して通路１０に連通している。この場合、親世帯が親世帯住居部１００から浴室１３へ移動する際に、子世帯住居部２００を通ることなく通路１０及び洗面所１４を通って浴室１３へ移動することができる。また、子世帯が子世帯住居部２００から浴室１３へ移動する際に、親世帯住居部１００を通ることなく通路１０及び洗面所１４を通って浴室１３へ移動することができる。このように、各世帯間でのプライバシーを保ちつつ、親世帯及び子世帯が浴室１３を利用することができる。
【００５９】
以上、本発明の実施形態について説明したが、本発明は、上記実施形態に限定されるものではない。例えば、仕分け室３３０、及び収納部３４０を設けることは必須ではない。また、洗濯室３１０内に洗面台３５０を設けることは必須ではない。また、洗濯室３１０と仕分け室３３０とを連通する開口部（第２開口部）３１０ａの位置に建具３１０ｂを設けることは必須ではない。
【００６０】
また、洗濯物乾燥領域としては、屋外にあるバルコニー３２０に限定されるものではなく、物干し竿等を設置して洗濯物を乾燥できる空間であれば、屋内空間であってもよい。また、洗濯物乾燥領域が屋内空間にある場合、洗濯物乾燥領域と洗濯室３１０とを連通する開口部（第１開口部）に建具を設けることは必須ではなく、洗濯室乾燥領域と仕分け室３３０とを連通する開口部（第３開口部）に建具を設けることも必須ではない。
【００６１】
子世帯の台所２１１は、洗濯室３１０に往来可能に隣接していてもよい。子世帯の台所２１１が洗濯室３１０に隣接していることにより、子世帯の作業者は、台所２１１で調理作業をしつつ、洗濯室３１０で洗濯作業も容易に行うことができる。
【００６２】
また、親世帯住居部１００、或いは親世帯住居部１００と同じ階層に設けられた洗面所１４等に洗濯機を設置するための排水口及び給水口が更に設けられていてもよい。この洗濯機は、主に親世帯が使用することができる。この場合、親世帯の高齢化が進み、住宅Ａの２階に設けられた洗濯室３１０まで行くことが困難になった時でも、親世帯が親世帯住居部と同じ階層にある洗濯機を使用することができる。また、訪問介護者により親世帯を介護することが必要になった時でも、訪問介護者は、親世帯住居部と同じ階層にある洗濯機を使用することができる。すなわち、１階を親世帯への訪問介護者が利用するフロアとして、２階を子世帯が暮らすフロアとして区分けすることができる。
【００６３】
また、住宅Ａの間取り構成は、図１及び図２に示した構成に限定されない。例えば、洗濯室３１０は、住宅Ａの１階に設けられていてもよい。この場合、住宅Ａの１階の外に、物干し竿が設置可能な設備を備える洗濯物乾燥領域が設けられていてもよい。
【符号の説明】
【００６４】
１０…通路、１３…浴室、１６ａ…開口部（第４開口部）、１００…親世帯住居部、１１１…親世帯の台所（親世帯台所）、２００…子世帯住居部、２１１…子世帯の台所（子世帯台所）、３１０…洗濯室、３１０ａ…開口部（第２開口部）、３１１ａ…第１洗濯機、３１１ｂ…第１排水口、３１１ｃ…第１給水口、３１２ａ…第２洗濯機、３１２ｂ…第２排水口、３１２ｃ…第２給水口、３２０…バルコニー（洗濯物乾燥領域）、３２０ａ…開口部（第１開口部）、３３０…仕分け室、３３０ａ…開口部（第３開口部）、３３１…作業面、３４０…収納部、３５０…洗面台、Ａ…住宅。
【図１】
2017025606.tif 000003
【図２】
2017025606.tif 000004